(57)【要約】【課題】本発明は、ガス遮断装置に関するものであり、ガス流路の弁による閉止直後は一定時間遮断異常判定を停止することで、遮断異常状態であると誤認識され再度弁閉止信号が出力され弁が駆動される、また外部に異常状態であると誤報知されるということを防止する。【解決手段】制御手段２は通過ガスの瞬間流量を測定する瞬間流量測定手段１からの流量信号に基づき異常状態と判定すれば弁閉信号を出力する。弁３は弁閉信号によりガス流路の閉止を行う。計時手段５は弁閉信号によりガス流路の閉時間を計測する。遮断異常判定手段４は計時手段５からの遮断異常判定要求信号を受信した後瞬間流量測定手段１からの流量信号により遮断異常状態を判定することでガス流路の弁による閉止直後は一定時間遮断異常判定を停止し遮断異常状態であると誤認識され再度弁閉止信号が出力され弁が駆動される。【選択図】　図１
2004125610.tif 000002
【特許請求の範囲】
【請求項１】
通過ガスの瞬間流量を測定する瞬間流量測定手段と、前記瞬間流量測定手段からの流量信号に基づき異常状態と判定すれば弁閉信号を出力する制御手段と、前記弁閉信号によりガス流路の閉止を行う弁と、前記弁閉信号によりガス流路の閉時間を計測する計時手段と、前記計時手段からの遮断異常判定要求信号を受信した後前記瞬間流量測定手段からの流量信号により遮断異常状態を判定する遮断異常判定手段を備えたガス遮断装置。
【請求項２】
通過ガスの瞬間流量を測定する瞬間流量測定手段からの流量信号に基づき流量零状態を判定し、計時手段に計時終了要求信号を出力する流量零判定手段を備えた請求項１記載のガス遮断装置。
【請求項３】
通過ガスの瞬間流量を測定する瞬間流量測定手段と、前記瞬間流量測定手段からの流量信号に基づき異常状態と判定すれば弁閉信号を出力する制御手段と、前記弁閉信号によりガス流路の閉止を行う弁と、前記弁閉信号を受信した後前記瞬間流量測定手段からの流量信号により流量変動停止を判定する流量変動停止判定手段と、前記流量変動停止判定手段からの遮断異常判定要求信号を受信した後前記瞬間流量測定手段からの流量信号により遮断異常状態を判定する遮断異常判定手段を備えたガス遮断装置。
【請求項４】
通過ガスの瞬間流量を測定する瞬間流量測定手段と、前記瞬間流量測定手段からの流量信号に基づき異常状態と判定すれば弁閉信号を出力する制御手段と、前記弁閉信号によりガス流路の閉止を行う弁と、前記弁閉信号を受信した後配管内のガス圧変動を測定しガス圧変動停止を判定するガス圧変動停止判定手段と、前記ガス圧変動停止判定手段からの遮断異常判定要求信号を受信した後前記瞬間流量測定手段からの流量信号により遮断異常状態を判定する遮断異常判定手段を備えたガス遮断装置。
【発明の詳細な説明】
【０００１】
【発明の属する技術分野】
本発明は、ガスの事故を未然に防ぐガス遮断装置に関するものである。
【０００２】
【従来の技術】
従来この種の積算流量計測型（膜式型）ガス遮断装置を瞬間流量計測型ガス遮断装置にした場合は、図５に示すような構成になる。１は瞬間流量測定手段で通過ガス流量を一定時間毎に測定する。２は制御手段で瞬間流量測定手段１からの流量信号によりガスの使用状況が異常であると判定した場合、弁閉信号出力する。３は弁で制御手段２からの弁閉止信号を受信してガスの通路を閉止する。４は遮断異常判定手段で弁閉止信号を受信した後に瞬間流量測定手段１から流量信号を受信すればガス流路が正常に閉止されていないと判断して異常信号を制御手段２に送信し、異常信号を受信した制御手段２は再度弁閉止信号を出力するまたは外部に異常状態を報知していた。
【０００３】
【発明が解決しようとする課題】
しかしながら上記のような構成では、積算流量計測型（膜式型）ガス遮断装置の場合ではガス流路の弁による閉止直後はガス圧力が変動することによるガス流量変動、さらに閉止動作によってガス自体が移動させられることによるガス流量変動はガス流量を計測する膜に吸収され、かつ所定単位体積を計測しなければ流量検出したと認識されない構成ため、弁閉止直後に流量信号検出することでガス流路が正常に閉止されていない遮断異常状態であると誤認識されることがなかったが、積算流量計測型（膜式型）ガス遮断装置を図５のように瞬間流量計測型ガス遮断装置にした場合、ガス流路の弁による閉止直後はガス圧力が変動することによるガス流量変動、さらに閉止動作によってガス自体が移動させられることによるガス流量変動により、弁閉止直後の瞬間流量は変動（流量零ではなくなる）してガス流路が正常に閉止されていない遮断異常状態であると誤認識されるという課題を有していた。
【０００４】
【課題を解決するための手段】
本発明はこのような従来の課題を解決するもので、ガス流路の弁による閉止直後は所定条件を満足するまで遮断異常判定を停止することで、ガス圧力が変動することによるガス流量変動、さらに閉止動作によってガス自体が移動させられることによるガス流量変動により、弁閉止直後の瞬間流量は変動（流量零ではなくなる）してガス流路が正常に閉止されていない遮断異常状態であると誤認識され再度弁閉止信号が出力され弁が駆動され無駄な電力を消費する、また外部に異常状態であると誤報知されるということを防止することができる。
【０００５】
【発明の実施の形態】
上記目的を達成するために、本発明１のガス遮断装置は、通過ガスの瞬間流量を測定する瞬間流量測定手段と、前記瞬間流量測定手段からの流量信号に基づき異常状態と判定すれば弁閉信号を出力する制御手段と、前記弁閉信号によりガス流路の閉止を行う弁と、前記弁閉信号によりガス流路の閉時間を計測する計時手段と、前記計時手段からの遮断異常判定要求信号を受信した後前記瞬間流量測定手段からの流量信号により遮断異常状態を判定する遮断異常判定手段とを備えたものである。
【０００６】
そして、この構成によれば、ガス流路の弁による閉止直後は所定時間の間、遮断異常判定を停止することで、ガス流路が正常に閉止されていない遮断異常状態であると誤認識され再度弁閉止信号が出力され弁が駆動され無駄な電力を消費する、また外部に異常状態であると誤報知されるということを防止することができる。
【０００７】
また、本発明２は上記目的を達成するために、通過ガスの瞬間流量を測定する瞬間流量測定手段からの流量信号に基づき流量零状態を判定し、計時手段に計時終了要求信号を出力する流量零判定手段とを備えたものである。
【０００８】
そして、この構成によれば、本発明１と同様に遮断異常状態であると誤認識され再度弁閉止信号が出力され弁が駆動され無駄な電力を消費する、また外部に異常状態であると誤報知されるということを防止することができると同時に流量零を早期に検出すれば遮断異常判定停止時間を短縮することができ安全性をさらに向上させることができる。
【０００９】
また、本発明３は上記目的を達成するために、通過ガスの瞬間流量を測定する瞬間流量測定手段と、前記瞬間流量測定手段からの流量信号に基づき異常状態と判定すれば弁閉信号を出力する制御手段と、前記弁閉信号によりガス流路の閉止を行う弁と、前記弁閉信号を受信した後前記瞬間流量測定手段からの流量信号により流量変動停止を判定する流量変動停止判定手段と、前記流量変動停止判定手段からの遮断異常判定要求信号を受信した後前記瞬間流量測定手段からの流量信号により遮断異常状態を判定する遮断異常判定手段とを備えたものである。
【００１０】
そして、この構成によれば、本発明１と同様にガス流路の弁による閉止直後は流量変動が所定の範囲に収束するまで遮断異常判定を停止することで、ガス流路が正常に閉止されていない遮断異常状態であると誤認識され再度弁閉止信号が出力され弁が駆動され無駄な電力を消費する、また外部に異常状態であると誤報知されるということを防止することができる。
【００１１】
また、本発明４は上記目的を達成するために、通過ガスの瞬間流量を測定する瞬間流量測定手段と、前記瞬間流量測定手段からの流量信号に基づき異常状態と判定すれば弁閉信号を出力する制御手段と、前記弁閉信号によりガス流路の閉止を行う弁と、前記弁閉信号を受信した後配管内のガス圧変動を測定しガス圧変動停止を判定するガス圧変動停止判定手段と、前記ガス圧変動停止判定手段からの遮断異常判定要求信号を受信した後前記瞬間流量測定手段からの流量信号により遮断異常状態を判定する遮断異常判定手段とを備えたものである。
【００１２】
そして、この構成によれば、本発明１と同様にガス流路の弁による閉止直後はガス圧変動が所定の範囲に収束するまで遮断異常判定を停止することで、ガス流路が正常に閉止されていない遮断異常状態であると誤認識され再度弁閉止信号が出力され弁が駆動され無駄な電力を消費する、また外部に異常状態であると誤報知されるということを防止することができる。
【００１３】
【実施例】
以下、本発明の実施例について図面を用いて説明する。
【００１４】
（実施例１）
図１は第１の実施例のガス遮断装置である。図１において、１は瞬間流量測定手段で、例えばＬＰ等のガス媒体の流路に対向設置した超音波センサの一方から他方に発振し、その伝搬時間より使用ガスの流量を一定時間毎に測定し流量信号を出力する。２は制御手段で、瞬間流量測定手段１からの流量信号に基づき異常状態と判定すれば弁閉信号を出力する。３は弁で弁閉信号を受信すればガス流路の閉止を行う。５は計時手段で、弁閉信号によりタイマーをスタートし、ガス流路の閉時間を計測する。４遮断異常判定手段で、計時手段５からの遮断異常判定要求信号を受信した後瞬間流量測定手段１からの流量信号により遮断異常状態を判定する。
【００１５】
次に上記構成の動作を説明すると、制御手段２は瞬間流量測定手段１からガス使用の異常状態を検出すると弁３に弁閉信号を出力することによって弁３はガス流路を閉止してガス消費者の安全を確保する。同時に弁閉信号を受信した遮断異常判定手段４はその後の瞬間流量測定手段１からの流量信号を監視して所定の流量を検出すれば弁３によるガス流路の閉止が正常に行われなかったと判断して制御手段２に異常信号を送出する。異常信号を受信した制御手段２は再度弁３を駆動し、さらにその異常の旨を外部に通報する。
【００１６】
ところが、瞬間流量計測型ガス遮断装置の場合、ガス流路の弁３による閉止直後はガス圧力が変動することによるガス流量変動、さらに閉止動作によってガス自体が移動させられることによるガス流量変動により、弁閉止直後の瞬間流量は変動（流量零ではなくなる）してガス流路が正常に閉止されていないと遮断異常判定手段４に遮断異常であると誤認識されてしまい再度弁３を駆動して電力を消耗してしまい、さらに外部に報知してしまうという状態が発生してしまう。
【００１７】
そのため、ガス流路を閉止してから流量変動が収まる所定時間の間を計時手段５でカウントし、所定時間に達するまでは遮断異常判定手段４による遮断異常判定を停止して、計時手段５が所定時間をカウントオーバーすれば遮断異常判定手段４に遮断異常判定要求信号を出力して遮断異常判定を開始する。
【００１８】
このことによりガス流路閉止後の一定時間遮断異常判定を停止し、流量変動が確実に収まった後に遮断異常判定を行うことができるため、ガス流路が正常に閉止されていない遮断異常状態であると誤認識され再度弁閉止信号が出力され弁が駆動され無駄な電力を消費する、また外部に異常状態であると誤報知されるということを防止することができる。
【００１９】
（実施例２）
図２は本発明の第２の実施例のガス遮断装置である。実施例１と異なる点はガス流量の零状態を判定する流量零判定手段６をを用いたところである。
【００２０】
なお第１の実施例の場合と構成要素が同一のものについては同一符号を付し、その説明を省略する。
【００２１】
次に動作について説明すると、６は流量零判定手段で、ガス流路を通過するガスが流量零（零から所定範囲内）かどうかを判定し、流量零と判定すれば計時手段５に計時終了要求信号を出力する。実施例１に述べたようにガス流路を閉止してから流量変動が収まる所定時間の間をカウントしていた計時手段５は、流量零判定手段６から計時終了要求信号を受信すると計時を停止して遮断異常判定手段４に遮断異常判定要求信号を出力する。このことにより、弁閉止による流量変動が早期に流量零に収束した場合、実施例１の構成より早く遮断異常判定を開始することができ安全性を向上させることができる。
【００２２】
（実施例３）
図３は本発明の第３の実施例のガス遮断装置である。図３において、実施例１と異なる点は弁閉信号によりタイマーをスタートし、ガス流路の閉時間を計測する計時手段５の代わりに流量変動の停止を判定する流量変動停止判定手段７を用いたところである。
【００２３】
なお第１の実施例の場合と構成要素が同一のものについては同一符号を付し、その説明を省略する。
【００２４】
次に動作について説明すると、ガス使用の異常を検知した制御手段２は弁３によりガス流路を閉止させるため弁閉信号を出力するが、弁閉信号を受信した流量変動停止判定手段７はその後の瞬間流量測定手段１からの流量信号を監視して流量変動の停止判定（例えば流量計測毎の流量増減幅が所定の範囲に収束する等）すれば遮断異常判定手段４に遮断異常判定要求信号を出力して遮断異常判定を開始する。ただし所定時間流量変動の停止判定ができなければ遮断異常判定手段４に遮断異常判定要求信号を出力して遮断異常判定を開始する。このことによりガス流路閉止による流量変動が確実に収まったのを確認して遮断異常判定を行うことができるため、ガス流路が正常に閉止されていない遮断異常状態であると誤認識され再度弁閉止信号が出力され弁が駆動され無駄な電力を消費する、また外部に異常状態であると誤報知されるということを防止することができる。
【００２５】
（実施例４）
図４は本発明の第４の実施例のガス遮断装置である。図４において、実施例１と異なる点は弁閉信号によりタイマーをスタートし、ガス流路の閉時間を計測する計時手段５の代わりにガス流路のガス圧変動の停止を判定するガス圧変動停止判定手段８を用いたところである。
【００２６】
なお第１の実施例の場合と構成要素が同一のものについては同一符号を付し、その説明を省略する。
【００２７】
次に動作について説明すると、ガス使用の異常を検知した制御手段２は弁３によりガス流路を閉止させるため弁閉信号を出力するが、弁閉信号を受信したガス圧変動停止判定手段８（ガス媒体の流路に対向設置した超音波センサー等と同空間内に設置され、圧電素子等で実現される）はその後のガス流路内のガス圧を監視してガス圧変動の停止判定（例えばガス圧計測毎のガス圧増減幅が所定の範囲に収束する等）すれば遮断異常判定手段４に遮断異常判定要求信号を出力して遮断異常判定を開始する。ただし所定時間ガス圧変動の停止判定ができなければ遮断異常判定手段４に遮断異常判定要求信号を出力して遮断異常判定を開始する。
【００２８】
このことによりガス流路閉止によるガス圧変動が確実に収まった（つまり流量変動が収まったのを確認）のを確認して遮断異常判定を行うことができるため、ガス流路が正常に閉止されていない遮断異常状態であると誤認識され再度弁閉止信号が出力され弁が駆動され無駄な電力を消費する、また外部に異常状態であると誤報知されるということを防止することができる。
【００２９】
【発明の効果】
以上のように本発明によれば、ガス流路の弁による閉止直後は所定条件を満足するまで遮断異常判定を停止することで、ガス流路が正常に閉止されていない遮断異常状態であると誤認識され再度弁閉止信号が出力され弁が駆動される、また外部に異常状態であると誤報知されるということを防止する効果を有する。
【図面の簡単な説明】
【図１】本発明の実施例１におけるガス遮断装置の構成を示すブロック図
【図２】同発明の実施例２におけるガス遮断装置の構成を示すブロック図
【図３】同発明の実施例３におけるガス遮断装置の構成を示すブロック図
【図４】同発明の実施例４におけるガス遮断装置の構成を示すブロック図
【図５】従来のガス遮断装置の構成を示すブロック図
【符号の説明】
１　瞬間流量測定手段
２　制御手段
３　弁
４　遮断異常判定手段
５　計時手段
６　流量零判定手段
７　流量変動停止判定手段
８　ガス圧変動停止判定手段
【図１】
2004125610.tif 000003
【図２】
2004125610.tif 000004
【図３】
2004125610.tif 000005
【図４】
2004125610.tif 000006
【図５】
2004125610.tif 000007